(57)【特許請求の範囲】
【請求項１】
上ケースと下ケースとからなる筐体と、
前記筐体内部に設けられ、外部から挿入された記憶媒体を保持するとともにこの記憶媒体に情報を読み書きするリードライト部と、
前記筐体内部に設けられ、下面に前記リードライト部を配置するとともにこのリードライト部から読み出した情報に基づいて料金収受処理を行う回路基板と、
前記上ケースと前記回路基板との間に設けて、前記上面を出力面にしたスピーカと、
前記スピーカを内部に保持して前記上ケースに固定され、前記筐体の内部空間を区切るスピーカケースと、
前記リードライト部に外部から記憶媒体を挿入可能な挿入部、および、前記スピーカから音を出力可能な出力部を有して前記筐体の前面を覆う前面カバーとを備え、
前記スピーカケースは、前記筐体の内部空間を、前記挿入部に接して前記リードライト部と前記回路基板とが含まれる第１の空間と、前記出力部に接して前記スピーカの出力面が含まれる第２の空間とに区切り、
前記第１の空間と前記第２の空間とは前記筐体内部で互いに非連結であることを特徴とする料金収受装置。
【請求項２】
前記上ケースから下方に延出して前記スピーカを押圧するリブと、
前記スピーカと前記スピーカケースとの間に載置されたクッションとをさらに備え、
前記リブが前記スピーカを押圧することにより前記クッションが前記スピーカと前記スピーカケースとの隙間を密閉することを特徴とする請求項1に記載の料金収受装置。
【請求項３】
前記リブは、前記出力部側に第１の切り欠き部を有することを特徴とする請求項２に記載の料金収受装置。
【請求項４】
前記スピーカケースは前記出力部と接する面を除いて前記スピーカの周囲を覆う壁面を有し、
前記上ケースは前記壁面の上端を嵌め込む窪み部を有し、
前記上ケースへの前記スピーカケースのネジ止めによって、前記壁面の上端を前記窪み部に押圧して前記上ケースと前記スピーカケースとの間の隙間を密閉したことを特徴とする請求項３に記載の料金収受装置。
【請求項５】
前記クッションは、弾性体で構成され、前記スピーカケースと当接する下面が形状保持材で覆われたことを特徴とする請求項４に記載の料金収受装置。
【請求項６】
前記スピーカケースと前記クッションは、前記スピーカケースに前記クッションを位置決めする位置決めピンと位置決め孔をそれぞれ有し、前記クッションの位置決め孔の配置は表裏非対称であることを特徴とする請求項５に記載の料金収受装置。
【請求項７】
前記スピーカケースは、前記スピーカを嵌合するロック部を有し、
前記リブは、前記ロック部に対応する部分に第２の切り欠き部を有し、
前記リブと前記ロック部によって前記スピーカの外周のうち前記第１の切り欠き部以外の部分を取り囲むことを特徴とする請求項６に記載の料金収受装置。
【請求項８】
前記スピーカは、前記回路基板とリード線を介して電気的に接続する接続部を下面の前記出力部側に有し、
前記クッションは、前記スピーカの外周端部に当接可能に構成され、前記出力部側に第３の切り欠き部を有し、
前記スピーカケースは、前記スピーカの外周を囲む壁部と、前記壁部より内側のケース
底面に設けられた開口部と、この開口部から前記出力部側に設けられた第４の切り欠き部とを有し、
前記接続部は、前記第３、第４の切り欠き部を介して前記スピーカケースに対して露出したことを特徴とする請求項７に記載の料金収受装置。
【発明の詳細な説明】
【技術分野】
【０００１】
本発明は、ＥＴＣ（Ｅｌｅｃｔｒｏｎｉｃ  Ｔｏｌｌ  Ｃｏｌｌｅｃｔｉｏｎ  Ｓｙｓｔｅｍ）などの道路自動料金収受システムに関するもので、特に、記憶媒体を挿入して料金収受を行い、音を出力する料金収受装置に関する。
【背景技術】
【０００２】
従来、車両のインスツルメントパネル内に埋め込まれる料金収受装置は、ＥＴＣカード等の記憶媒体の挿入口から音を出力していた。（例えば、特許文献１を参照）。
【先行技術文献】
【特許文献】
【０００３】
【特許文献１】特開２００５−３２１６１９号公報
【発明の概要】
【発明が解決しようとする課題】
【０００４】
しかし、こうした記憶媒体の挿入口から音が出力される場合、記憶媒体の挿脱時における音圧の変動や、記憶媒体の有無による音圧差が生じるため、ユーザは、料金収受装置から安定した出力音を得ることができないという問題があった。
【０００５】
本発明は、従来の問題を解決するためになされたもので、記憶媒体の挿脱状態にかかわらず、安定した出力音を得ることが可能な料金収受装置を提供することを目的とする。
【課題を解決するための手段】
【０００６】
上記目的を達成するため、本発明の料金収受装置は、スピーカケースが、筐体の内部空間を、挿入部に接してリードライト部と回路基板とが含まれる第１の空間と、出力部に接してスピーカの出力面が含まれる第２の空間とに区切り、第１の空間と第２の空間とは筐体内部で互いに非連結であることを特徴とした。
【発明の効果】
【０００７】
本発明によれば、記憶媒体の挿脱状態にかかわらず、安定した出力音を得ることが可能な料金収受装置を提供することができる。
【図面の簡単な説明】
【０００８】
【図１】本実施形態における料金収受装置の分解斜視図
【図２】同図１の要部であるスピーカユニットの分解斜視図
【図３】同図２の要部であるスピーカケースを異なる視点から見たときの斜視図
【図４】同図２の要部であるスピーカケースを上から見たときの平面図
【図５】同図４の要部であるスピーカケースにクッションを組み付けたときの平面図
【図６】同図５の要部であるスピーカケースのクッション上にさらにスピーカを組み付けたときの平面図
【図７】同図２の要部であるスピーカケースにスピーカとクッションを組み付けたときの斜視図
【図８】同図１の要部である上ケースとスピーカユニットを下から見たときの分解斜視図
【図９】同図８の要部である点線枠部分を紙面の上から見たときの拡大図
【図１０】同図９の上ケースにスピーカケースを取り付けたときのＡ−Ａ断面をＢ方向から見たときの断面図
【図１１】同図８の上ケースにスピーカユニットを組み付けた状態を紙面の上から見たときの平面図
【図１２】同図１１のＣ−Ｃ断面をＤ方向から見たときの断面図
【発明を実施するための形態】
【０００９】
以下、本発明の実施形態に係る料金収受装置について図面を用いて説明する。
【００１０】
図１は本実施形態における料金収受装置の分解斜視図である。図１の紙面における上下の関係が実際の上下の関係を示す。図２は図１の要部であるスピーカユニットの分解斜視図である。図３は図２の要部であるスピーカケースを異なる視点から見たときの斜視図である。図４は図２の要部であるスピーカケースを上から見たときの平面図である。図５は図４の要部であるスピーカケースにクッションを組み付けたときの平面図である。図６は図５の要部であるスピーカケースのクッション上にさらにスピーカを組み付けたときの平面図である。図７は図２の要部であるスピーカケースにスピーカとクッションを組み付けたときの斜視図である。図８は図１の要部である上ケースとスピーカユニットを下から見たときの分解斜視図である。図９は図８の要部である点線枠部分を紙面の上から見たときの拡大図である。図１０は図９の上ケースにスピーカケースを取り付けたときのＡ−Ａ断面をＢ方向から見たときの断面図である。図１１は図８の上ケースにスピーカユニットを組み付けた状態を紙面の上から見たときの平面図である。図１２は図１１のＣ−Ｃ断面をＤ方向から見たときの断面図である。
【００１１】
図１に示すように、料金収受装置は、上ケース１と下ケース２とからなる筐体３と、この筐体３の内部に設けられた回路基板４と、この回路基板４の下面に取り付けられたリードライト部５と、上ケース１に取り付けられるスピーカユニット６と、筐体３の前面を覆う前面カバー７と、この前面カバー７に取り付けられる発光部材８と、スピーカユニット６に取り付けられるボタン９とを備える。
【００１２】
上ケース１の側面から下方に伸びた第１のロック爪１０と第２のロック爪１１は、回路基板４の側面から内側に窪んだ第１のロック部１２と第２のロック部１３にそれぞれ係合する。第１のロック爪１０と第１のロック部１２の係合によって、上ケース１と回路基板４の左右方向の位置が固定される。第２のロック爪１１は、離間した２つのピンで構成され、外側部分が内側部分に比べて下方に突出している。この第２のロック爪１１の外側の突出部分が第２のロック部１３に差し込まれることによって、上ケース１と回路基板４の前後方向の位置が固定される。
【００１３】
上ケース１の側面からは、第３のロック爪１４が外部に突出する。この第３のロック爪１４は、第１のロック爪１０の上方に位置する。第３のロック爪１４は、下ケース２の側面から上方に設けられた第３のロック部１５に係合する。この係合によって、上ケース１と下ケース２とが固定される。また、下ケース２の側面上端からは補強ピン１６が上方に突出する。この補強ピン１６は、第２のロック爪１１を構成する２つのピンの間から上ケース１に差し込まれる。これによって、上ケース１と下ケース２の固定が補強される。
【００１４】
下ケース２の側面からは、折り曲げられて内側に突出した第１の載置部１７が設けられている。この第１の載置部１７に回路基板４の下面が当接する。これにより、回路基板４は下ケース２に載置される。
【００１５】
上ケース１後方の上面には、上下に貫通する第1の孔１８が設けられている。回路基板４後方の上面には、上下に貫通する第２の孔１９が設けられている。下ケース２後方の側面には、折り曲げられて内側に突出して回路基板４を載置する第２の載置部２０が設けられている。そして、ネジ２１が第１の孔１８、第２の孔１９に挿通され、第２の載置部２
０に螺着される。これによって、上ケース１と下ケース２に挟み込まれた回路基板４は筐体３に螺合される。
【００１６】
上ケース１の上面からは第４のロック爪２２が上方に突出する。前面カバー７の上面には第４のロック部２３が設けられている。第４のロック爪２２は、第４のロック部２３に係合する。下ケース２の下面からは第５のロック爪２４が下方に突出する。前面カバー７の下面には、図示しないロック部が設けられており、第５のロック爪２４と係合する。これらの係合によって、前面カバー７は筐体３に固定される。
【００１７】
前面カバー７の左下部には、カバー面を貫通する第３の孔２５が設けられている。リードライト部５の左側面にはイジェクトボタン２６が設けられている。筐体３に前面カバー７が取り付けられるとき、イジェクトボタン２６は、第３の孔２５に挿通される。また、イジェクトボタン２６の前面端部は前面カバー７から前方に突出する。
【００１８】
前面カバー７の下部で第３の孔２５の右方には、カバー面を貫通する孔からなる挿入部２７が設けられている。挿入部２７は、記憶媒体を装置内部に挿入する。リードライト部５の前面には挿入部２７から挿入された記憶媒体を挿着する挿着部２８が設けられている。挿着部２８に接続された回路基板４上の図示しない電子回路は、挿着部２８に挿着された記憶媒体にアクセスして情報のリードライトを行う。
【００１９】
前面カバー７の上部中央で挿入部２７の上方には、カバー面を貫通する第４の孔２９が設けられている。発光部材８は、前端が第４の孔２９に挿通されて前面カバー７に固定される。回路基板４の上面の中央前端には、発光素子３０が設けられている。発光素子３０は、例えばＬＥＤで構成される。発光部材８は後上部が略４５度に傾斜した傾斜構造を有する。発光素子３０が回路基板４の上方向に出力した出力光は、発光部材８の傾斜構造で反射して前面方向に向かう。この反射光は、第４の孔２９を介して外部に視認可能な発光部材８の前端から外部に出力される。
【００２０】
前面カバー７の右上部で第４の孔２９の右方には、カバー面を貫通する第５の孔３１が設けられている。筐体３に前面カバー７が取り付けられるとき、ボタン９は、第５の孔３１に挿通される。また、ボタン９の前面端部は前面カバー７から前方に突出する。回路基板４の上面の右側前端には、スイッチ３２が設けられている。ボタン９の押圧によってスイッチ３２が電気的に接続され、回路基板４によって音量調整等の処理が行われる。
【００２１】
前面カバー７の左上部で挿入部２７の上方には、カバー面を貫通する孔からなる出力部３３が設けられており、スピーカユニット６と接する。
【００２２】
スピーカユニット６は、スピーカケース３４と、クッション３５と、スピーカ３６とを有する。クッション３５およびスピーカ３６の外周は略円板形状に形成されている。クッション３５はペットシートや発泡材等の弾性部材からなりスピーカケース３４上に載置される。スピーカ３６は出力面を上方にして、クッション３５を挟んでスピーカケース３４上に載置される。スピーカケース３４は出力部３３と接する。スピーカ３４から出力された音は、スピーカケース３４と出力部３３を介して外部に出力される。スピーカユニット６は、ネジ３７によって上ケース１に固定される。
【００２３】
次に、スピーカユニット６の構造について詳細に説明する。
【００２４】
図２、図３に示すように、スピーカケース３４には、クッション３５とスピーカ３６を収容するスピーカ収容部３８が設けられている。スピーカ３６は、出力面をこのスピーカ収容部３８で囲まれた空間側にして配置される。このスピーカ収容部３８の側面にはネジ
３７を挿通可能な挿通部３９が設けられている。スピーカケース３４の前方中央には発光部材８の後部を収容する収容部４０が設けられている。スピーカケース３４の前方右側にはボタン９を嵌合する嵌合部４１が設けられている。スピーカケース３４の前方左側にはスピーカ３６からの音を放音する放音部４２が設けられている。
【００２５】
スピーカ収容部３８の底面からは、クッション３５およびスピーカ３６の外周を囲む第１の壁部４３が上方に突出している。この第１の壁部４３の外周は略円板形状に構成され、一部に切り欠きが形成されている。
【００２６】
クッション３５は、外周が略円板形状の本体部４４を有する。この本体部４４の両端には、本体部４４の中心から離れる方向に突出した第１の位置決め孔４５、第２の位置決め孔４６がそれぞれ形成されている。第１の位置決め孔４５と第２の位置決め孔４６との間は切り欠かれている。本体部４４の両端以外の外周には、本体部４４の中心から離れる方向に突出した第３の位置決め孔４７が形成されている。第１〜第３の位置決め孔４５〜４７は、クッション３５を表にしたときの第１〜第３の位置決め孔４５〜４７の位置と裏にしたときの第１〜第３の位置決め孔４５〜４７の位置とが非対称となる位置に配置される。換言すると、第３の位置決め孔４７は、クッション３５を表にしたときと裏にしたときとで位置が異なる表裏非対称な位置に配置される。
【００２７】
図２〜図４に示すように、スピーカ収容部３８には、第１の壁部４３の切り欠きに位置する部分から突出する第１〜第３の位置決めピン４８〜５０が形成されている。図５に示すように、この第１〜第３の位置決めピン４８〜５０に第１〜第３の位置決め孔４５〜４７が係合される。これらの係合によって、クッション３５はスピーカケース３４に対して位置決めされた上で固定される。
【００２８】
図２に示すように、スピーカ３６の側面からは第１の突出部５１、第２の突出部５２がそれぞれ突出する。スピーカ３６がスピーカユニット３４に載置される際に、この第１、第２の突出部５１、５２は第１の壁部４３の切り欠きである第１、第２の切り欠き部５３、５４にそれぞれ載置される。これによって、スピーカ３６はスピーカケース３４に対して位置決めされた上で固定される。
【００２９】
図２、図３に示すように、スピーカ収容部３８の側面からは、第１、第２の爪部５５、５６が内側に突出する。図６、図７に示すように、この第１、第２の爪部５５、５６がスピーカ３６の上面に係合する。この第１、第２の爪部５５、５６によって、スピーカ３６は上方への移動が抑制される。そして、外部からの衝撃や振動によるスピーカケース３４からの脱離が防止される。
【００３０】
図２〜図５に示すように、スピーカ収容部３８の底面のうち壁部４３の内側には、略円板形状の開口部５７が設けられている。この開口部５７の外周半径は、スピーカ３６の外周半径よりやや小さい。また、図４、図５に示すように、クッション３５の本体部４４は、開口部５７よりも開口部５７の中心方向にややはみ出している。これによって、スピーカ３６が音出力の際に振動しても、スピーカ３６の下面がスピーカケース３４に当たらず、スピーカ３６を保護することができる。また、クッション３５は第３の切り欠き部５８を有する。
【００３１】
また、図４、図５に示すように、スピーカ収容部３８の底面には、開口部５７のうち放音部４２側（前面カバー７側）の部分から外側に伸びた第４の切り欠き部５９がさらに設けられている。図８に示すように、スピーカ３６の下面には、図示しないリード線を介して回路基板４の電子回路と電気的に接続する接続部６０が設けられている。回路基板４の電子回路は、この接続部６０を介してスピーカ３６を駆動する。第３の切り欠き部５８、
第４の切り欠き部５９によって、接続部６０はスピーカケース３４から露出する。このため、スピーカ３６が振動しても接続部６０がスピーカケース３４と当接せずに、スピーカの故障を防止することができる。
【００３２】
スピーカ３６は下面で開口部５７、第４の切り欠き部５９を覆う。また、スピーカ３６は、下面の外周端部でクッション３５と当接する。これらによって、スピーカ３６は開口部５７、第４の切り欠き部５９を塞ぐ。このため、スピーカケース３４によって、筐体３の内部空間は互いに非連結な２つの空間に分離される。具体的には、図２〜図７に示すように、挿入部２７に接してリードライト部５と回路基板４とが含まれる第１の空間ａとスピーカ３６の出力面側が含まれる第２の空間ｂとに分けられる。第１の空間ａは、スピーカケース３４の下面に接する空間を含む。例えば、第１の空間ａは、収容部４０や嵌合部４１の空間を含む。スピーカ収容部３８で囲まれた第２の空間ｂは放音部４２を介して出力部３３に当接する。第２の空間ｂは出力部３３を介して外部空間と接続する。第２の空間ｂは、スピーカ収容部３８の壁面の全周と上ケース１との当接、および、スピーカ３６による開口部５７、第４の切り欠き部５９の封止によって、第１の空間ａから密閉される。したがって、第２の空間ｂと第１の空間ａとは筐体３内で互いに非連結にされる。これによって、リードライト部５への記憶媒体の挿脱がされた場合であっても、スピーカ３６は音の減衰の影響を抑えて安定した出力音を前方に発することができる。
【００３３】
図８に示すように、上ケース１の下面には、一つなぎの窪み部６１が形成されている。この窪み部６１にはスピーカ収容部３８の壁面上端が嵌合される。また、上ケース１の下面からは、スピーカ３６の外周を取り囲む第１〜第３のリブ６２〜６４が突出する。
【００３４】
また、図８に示すように、上ケース１の下面には、挿通部３９を差し込む差込部６５が設けられている。この挿通部３９に挿通されたネジ３７が差込部６５に螺合される。これによって、スピーカケース３４と上ケース１との隙間が密閉され、スピーカケース３４が上ケース１に固定される。
【００３５】
図８、図９に示すように、第１のリブ６２と第２のリブ６３との間、第１のリブ６２と第３のリブ６４との間には、それぞれ第５、第６の切り欠き部６６、６７が設けられている。第２のリブ６３と第３のリブ６４との間には、第７の切り欠き部６８が設けられている。上ケース１にスピーカケース３４が取り付けられる際に、スピーカケース３４の第１、第２の爪部５５、５６はそれぞれ第５、第６の切り欠き部６６、６７に挿設される。このとき、第１〜第３のリブ６２〜６４と第１、第２の爪部５５、５６によってスピーカ３６の出力面の周囲が第７の切り欠き部６８を除いて取り囲まれる。第７の切り欠き部６８はスピーカケース３４の放音部４２側に配置されている。これによってスピーカ３６から上方に出力された音の拡散を抑えることができる。したがって、スピーカ３６から上方に出力された出力音の減衰を抑えたまま、放音部４２を介して前面パネル７の出力部３３からスピーカ３６の出力音を前方に向かって出力することができる。
【００３６】
図１０に示すように、スピーカケース３４におけるスピーカ収容部３８の壁面上端の全周が窪み部６１に嵌合する。これによって、上ケース１とスピーカケース３４との当接部分が直線状で無い折れ曲がった形状（図１０では窪み部６１のコ字状）になるため、第２の空間ｂについて第１の空間ａに対する密閉度を高めることができる。
【００３７】
図１１、図１２に示すように、スピーカ３６から上方に出力された音は、放音部４２を介して出力部３３から外部へ出力される。ここで、窪み部６１にスピーカ収容部３８が嵌合されるとともに開口部５７、第４の切り欠き部５９がスピーカ３６で封止されることによって第１の空間ａと第２の空間ｂとは隔絶されている。さらに、スピーカ収容部３８底面から壁部４３に対して開口部５７の中心側に張り出したフランジ部６９と第１のリブ６
２とによってスピーカ３６が挟持されている。同様に、フランジ部６９と第２、第３のリブ６３、６４とによってもスピーカ３６は挟持されている。第１〜第３のリブ６２〜６４がスピーカ３６を押圧することによってクッション３５がスピーカ３６とフランジ部６９との隙間を密閉する。このため、第１の空間ａと第２の空間ｂとの間には、窪み部６１と、スピーカ収容部３８による上ケース１側の当接部分と、スピーカ３６と第１〜第３のリブ６２〜６４によるスピーカ収容部３８側の当接部分とが設けられている。このように、第１の空間ａと第２の空間ｂとを密閉するために、第１の空間ａと第２の空間ｂとの間に当接する箇所を複数設けて、当接部分をそれぞれ異なる高さにすることによって、第１の空間ａの空気振動が第２の空間ｂにおけるスピーカ３６の出力音に与える影響を低減することができる。
【００３８】
特に、上ケース１へのスピーカケース３４の固定や、第１の空間ａと第２の空間ｂとの区切りには、接着剤ではなくネジ３７が用いられている。このため、接着剤を用いなくてよいため、廃棄時に分解しやすく、有機溶剤も廃棄されないので環境にもやさしいという効果を奏する。また、スピーカ３６等の部品不良が起こった際に該当部品を交換してスピーカケース３４を廃棄せずに再利用することが可能である。一方、上ケース１とスピーカケース３４間の当接面の密閉度は、接着剤に比べてネジ止めの方が低いが、例えばクッション３５や窪み部６１や第１〜第３のリブ６２〜６４等を用いた本実施形態の構造によって、接着剤を用いないことによる密閉度の低下、ひいては出力音の低下を抑制することができる。したがって、環境への配慮と出力音の維持とを両立することができる。
【００３９】
以上のように、本発明によれば、リードライト部５と回路基板４が含まれる第１の空間ａとスピーカ３６の出力面が含まれる第２の空間ｂとが非連結に構成されているため、挿入部２７から記憶媒体が挿脱されることによって第１の空間ａで振動が発生しても、出力部３３から安定した出力音を得ることが可能な料金収受装置を提供することができる。
【００４０】
また、第２の空間ｂを形成するスピーカケース３４とクッション３５とスピーカ３６とは、スピーカユニット６として一体に形成されるため、筐体３への取り付け作業を簡略化することができる。また、収容部４０を含むスピーカケース３４は、白色が望ましい。スピーカケース３４を白色にすることによって、発光素子３０から発光部材８に照射された光の輝度値を他の色よりも高くすることができる。
【００４１】
なお、クッション３５は、下面に硬質なセロハン等の形状保持材を設けてもよい。これによって、クッション３５をスピーカケース３４内に載置しやすくするとともに、スピーカ３６によって下方に押圧されたときに本体部４４の位置ずれを防止することができる。
【産業上の利用可能性】
【００４２】
本発明に係る料金収受装置は、車両のインスツルメントパネル内に埋め込まれて記憶媒体挿入口と同じ方向から音を出力する場合に有用である。
【符号の説明】
【００４３】
１    上ケース
２    下ケース
３    筐体
４    回路基板
５    リードライト部
７    前面カバー
３４  スピーカケース
３６  スピーカ
ａ    第１の空間
ｂ    第２の空間
【図１】
0005601109.tif 000002
【図２】
0005601109.tif 000003
【図３】
0005601109.tif 000004
【図４】
0005601109.tif 000005
【図５】
0005601109.tif 000006
【図６】
0005601109.tif 000007
【図７】
0005601109.tif 000008
【図８】
0005601109.tif 000009
【図９】
0005601109.tif 000010
【図１０】
0005601109.tif 000011
【図１１】
0005601109.tif 000012
【図１２】
0005601109.tif 000013